(57)【特許請求の範囲】
【請求項１】
他端部８ｂが窓枠３に枢支軸１８を介して軸支される開放角度用規制アーム８と、この規制アーム８の一端部８ａ側に位置する垂直取付け部５ａが風を室内に取り入れるために自由端部側から水平方向に回転する採風窓１の下框１ｂの枢着端部寄りより部位に固定された取付けガイド板５と、この取付けガイド板５に一端部が枢軸１４を介して軸支されかつ前記垂直取付け部５ａに対向する内壁面側の枢軸１４付近にストッパー的係合部１５を有すると共に、枢支部６ａに連なって水平方向に延びた摺接板部６ｂの内壁面とは反対側に相当する該摺接板部６ｂの外周壁側の他端に設けられた突片状の指掛け用操作部１６を有するスライド係止片６と、採風窓１を開くと同時に前記摺接板部６ｂの内壁面及び取付けガイド板５の水平案内部５ｂの水平案内長孔１２の両方を摺動することができるように前記規制アーム８の一端部８ａに設けられた摺動係合部材７と、前記摺接板部６ｂの内壁面が摺動係合部材７と圧接するように前記枢軸１４に設けられた付勢バネ９とを備え、採風窓１を所定の角度まで開放した際には、ストッパー的係合部１５が水平案内長孔１２を移行した摺動係合部材７を圧接状態で係止し、一方、採風窓１を閉じる際に、前記操作部１６に一方の手の指を掛けて手前に引くと、前記スライド係止片６は付勢バネ９のバネ力に抗して回転して摺動係合部材７から一旦離れ、該摺動係合部材７に対するスライド係合片６のストッパー的係止状態が直ちに解消されることを特徴とする採風窓の開閉装置。
【発明の詳細な説明】
【０００１】
【発明の属する技術分野】
本発明は、採風窓の開閉装置に関する。
【０００２】
【従来の技術】
普通一般に、採風窓は建物の踊り場或いはビルデングの室内の窓枠に蝶番、規制アーム等を介して所定の角度まで開放することができるように取付けられている。この種の採風窓には、危険防止の意味合いから、人の腰の高さ以上の所に、風を室内に採り入れるために設けられ、かつ、採風窓の開放角度を規制する規制アームを備えた採風窓用開閉装置が適宜に装着されている。
【０００３】
ところで、採風窓用開閉装置は、現在、色々な構造の物が見受けられるが、例えば一対の枢支レバーを介して採風窓を所定の角度まで開放する一実施例がある。
【０００４】
しなしながら、この種の採風窓用開閉装置は、採風窓を所定の開放角度まで開放することができるものの、一対の枢支レバーを用いたり、或いは操作レバーを開閉装置とは別個に設ける必要があるため、全体として構成部品が多くなると言う問題点があった。一方、採風窓を閉じようとする場合には、採風窓の開放角度と一対の枢支レバーの回転角度（或いは傾倒角度）との関係から、操作レバーを力強く手前に引っ張らないと、閉まらないと言う問題点があった。さらに、採風窓を段階的に或いは所定の位置にソフトなタッチで停止させることができない、と言う欠点もあった。
【０００５】
【発明が解決しようとする課題】
本発明は以上のような従来の欠点に鑑み、第１の目的は、採風窓を室内側から押し開けるだけで、所定の開放位置に自動的に停止させることができることである。第２の目的は、スライド係合片の摺動係合部材に対する係止状態を容易に解除し、よって、簡単に採風窓を閉めることができることである。第３の目的は、開閉装置を構成する各部材を容易に組合わせることができることである。
【０００６】
【課題を解決するための手段】
本発明の採風窓の開閉装置は、他端部８ｂが窓枠３に枢支軸１８を介して軸支される開放角度用規制アーム８と、この規制アーム８の一端部８ａ側に位置する垂直取付け部５ａが風を室内に取り入れるために自由端部側から水平方向に回転する採風窓１の下框１ｂの枢着端部寄りより部位に固定された取付けガイド板５と、この取付けガイド板５に一端部が枢軸１４を介して軸支されかつ前記垂直取付け部５ａに対向する内壁面側の枢軸１４付近にストッパー的係合部１５を有すると共に、枢支部６ａに連なって水平方向に延びた摺接板部６ｂの内壁面とは反対側に相当する該摺接板部６ｂの外周壁側の他端に設けられた突片状の指掛け用操作部１６を有するスライド係止片６と、採風窓１を開くと同時に前記摺接板部６ｂの内壁面及び取付けガイド板５の水平案内部５ｂの水平案内長孔１２の両方を摺動することができるように前記規制アーム８の一端部８ａに設けられた摺動係合部材７と、前記摺接板部６ｂの内壁面が摺動係合部材７と圧接するように前記枢軸１４に設けられた付勢バネ９とを備え、採風窓１を所定の角度まで開放した際には、ストッパー的係合部１５が水平案内長孔１２を移行した摺動係合部材７を圧接状態で係止し、一方、採風窓１を閉じる際に、前記操作部１６に一方の手の指を掛けて手前に引くと、前記スライド係止片６は付勢バネ９のバネ力に抗して回転して摺動係合部材７から一旦離れ、該摺動係合部材７に対するスライド係合片６のストッパー的係止状態が直ちに解消されることを特徴とする。
【０００７】
付言すると、摺動係合部材７は摺動係合棒であり、一方、この摺動係合棒７に付勢バネ９のバネ力で常時圧接するスライド係止片６は、一端部が枢軸１４に軸支された枢支部６ａと、この枢支部６ａに連なって水平方向に延びた摺接板部６ｂとから成り、前記水平状態の摺接板部６ｂには、室内側から指を引っ掛けることができる垂直状態の指掛け用操作部１６が設けられていることを特徴とする。
【０００８】
【発明の実施の形態】
図１乃至図９に示す本発明の一実施例を説明する。図１乃至図３は発明の実施の形態を示す各説明図である。また図４乃至図１０は本発明の採風窓の開閉装置の一例を示す各説明図である。
【０００９】
まず１は採風窓である。ここで「採風窓」とは、建物の窓枠に蝶番等を介して軸着され、風を室内に採り入れるために自由端部側から開放するものを言う。この実施例の採風窓１は、ガラス板１ａと、矩形状の框１ｂとから成り、その一端部（枢着端部）側は軸着部材としての蝶番２を介して金属製の窓枠３に軸着され、自由端部側から外方向に開放する。
【００１０】
４は採風窓１の框１ｂ、例えば下框の枢着端部寄りの部位に装着され、かつ、採風窓１の開放角度を規制する採風窓の開閉装置である。この開閉装置４は、本実施例では採風窓１を一定の角度まで開放させる機能を有する。したがって、いわば採風窓用角度規制装置とも称することができる。
【００１１】
この採風窓用角度規制装置、すなわち、採風窓の開閉装置４は、基本的には、採風窓１の框１ｂに固定された取付けガイド板５と、この取付けガイド板５に一端部が軸支されたスライド係止片６と、このスライド係止片６と摺動するように前記取付けガイド板５の水平案内長孔を介して規制アーム８の一端部８ａに設けられた摺動係合部材としての摺動係合棒７と、一端部８ａはこの摺動係合棒７に一体的に取付けられ、一方、他端部８ｂは窓枠３に枢軸を介して直接的に又は後述する採風窓用ロック解除装置Ｘを介して間接的に軸支された開放角度用規制アーム８と、前記採風窓１を所定の角度まで開放した際に前記スライド係止片６のストッパー的係合部が前記摺動係合棒７を圧接状態で係止するように常時付勢するスライド係止片用付勢バネ９とから成る。
【００１２】
そこで、まず取付けガイド板５について説明する。この取付けガイド板５は、一枚の長板を端面アングル（Ｌ字型）状に折曲形成することにより出来ている。しかも、取付けガイド板５の全体の長さは、図４及び図５で示すように、開放角度用規制アーム８の一端部８ａ側の下面に位置付けられるように寸法設定されている。付言すると、取付けガイド板５は、図５を基準にすると、複数個の固着具１１を介し、例えば下框の内壁面に固定される垂直取付け部５ａと、前記下框に沿って形成された水平案内長孔１２を有する水平案内部５ｂとから成り、前記水平案内部５ｂの上面に規制アーム８の端部８ａ側が添うように位置している（段落００１７）。なお、前記垂直取付け部５ａには、固着具１１用の取付け孔１３が形成されている。
【００１３】
次にスライド係止片６は、本実施例では指状（親指乃至人差し指）に形成され、取付けガイド板５の下面側に枢軸１４を介して回転自在に添設されている。すなわち、スライド係止片６は、一端部が枢軸１４に軸支されたやや親指形状の枢支部６ａと、この枢支部６ａに連なって水平方向に延びた摺接板部６ｂとから成る。
【００１４】
しかして、１５はスライド係止片６の内周壁側の中央部に弧状に形成されたストッパー的係合部（例えば係合切欠溝）である。このストッパー的係合部１５は、本実施例では親指状の枢支部６ａと人差し指の摺接板部６ｂとの連設部に１個だけ半円弧状に設けられている。また１６は摺接板部６ｂとは反対側に相当する外周壁側の他端部に上方に向かって突設された突片状指掛け用操作部である。さらに、１７はスライド係止片６の下壁に設けられた小突起状バネ受け部である。
【００１５】
次に摺動係合棒７は、本実施例では図８で示すように取付けガイド板５に水平案内長孔１２を介して垂直状態に設けられていると共に、取付けガイド板５の水平案内部５ｂから突出する上端部は、開放角度用規制アーム８の一端部８ａに固定的に取付けられている。そして、取付けガイド板５の水平案内部５ｂの下面から突出する下端部７ａには、スライド係止片６の摺接板部６ｂよりも下方に位置する規制アーム抜け止用のストッパー７ｂが適宜に固定（ネジ止、カシメ等）されている。
【００１６】
次に開放角度用規制アーム８は、本実施例では前述したようにその一端部８ａは摺動係合棒７の突出上端部に一体的に取付けられ、一方、他端部８ｂは窓枠３の一端部に設置された採風窓用ロック解除装置Ｘのロック用枢支軸１８に軸支されている。
【００１７】
しかして、規制アーム８は、一端部８ａ側が取付けガイド板５の水平案内部５ｂの上面に添うように位置していると共に、他端部８ｂ寄りの中途部は前記水平案内部５ｂの一端面を境に傾斜している。そして、規制アーム８の他端部８ｂは、採風窓用ロック解除装置Ｘを構成する取付けボックス２１の一側壁に形成された切欠状の抜脱・差込み口２２に差し込まれ、かつ、取付けボックス２１内に垂直状態に設けられた係脱可能なロック用枢支軸１８に軸支されている。
【００１８】
最後にスライド係止片用付勢バネ９は、スライド係止片６の下面に位置するように枢軸１４に取付けられている。しかして、付勢バネ９の一端部は取付けガイド板５の垂直取付け部５ａに、一方、他端部はスライド係止片６のバネ受け部１７にそれぞれ圧接している。
【００１９】
上記構成に於いて、図４で示すように採風窓１が閉じている場合には、スライド係止片６の自由端部である摺接板部６ｂの内壁面が付勢バネ９のバネ力により、摺動係合棒７の下端部７ａの外周面に圧接している。また規制アーム８は、その一端部８ａ側と取付けガイド板５の水平案内部５ｂとが互いに同一方向に向かって重なり合っている。したがって、摺動係合棒７は水平案内長孔１２の右側に位置している。
【００２０】
そこで、今仮に採風窓１を室内側から適宜に押し開けると、採風窓１は蝶番２を介して外へと水平方向に回転する。この時規制アーム８は、採風窓に一体的に取付けられた取付けガイド板５が外方向へ移行するので、採風窓１の開放量に追従してロック用枢支軸１８を支点に回転する。そうすると、規制アーム８と取付けガイド板５の水平案内部５ｂとの間に次第に角度差が生じ、この角度差に対応して摺動係合棒７が水平案内長孔１２に案内されながら、右側から左側へと水平移行する。
【００２１】
しかして、付勢バネ９はスライド係止片６を常時摺動係合棒７に圧接する方向に付勢しているので、前記摺動係合棒７はスライド係止片６の摺接板部６ｂの内壁面を摺動しながら、やがて図９で示すようにスライド係止片６のストッパー的係合部の一例である係合切欠溝１５に自動的に係合する。その結果、採風窓１は、付勢バネ９のバネ力により移行中の摺動係合棒７を「いわゆるソフトな感じでカチャ」と係止するスライド係合片６を介して所定の位置に停止する。
【００２２】
一方、採風窓１を閉じようとする場合には、例えばスライド係止片６の操作部１６に一方の手の指を掛けて手前に引く。そうすると、図１０で示すようにスライド係止片６は付勢バネ９のバネ力に抗して回転し、摺動係合棒７から一旦離れる。つまり、操作者はスライド係合片６を指で単に手前に引くだけで、摺動係合棒７に対するスライド係合片６のストッパー的係止状態が解消される。
【００２３】
そこで、操作者は他方の手で採風窓１を適宜に引いて閉じることができる。
【００２４】
【実施例】
本発明の実施例に於いて、スライド係合片６のストッパー的係合部１５は、親指状の枢支部６ａと人差し指の摺接板部６ｂとの連設部の内壁面に１個だけ半円弧状に設けられているが、採風窓１を選択的或いは段階的に所定の位置に開放することができるように、複数個（例えば２個、波状的に３個とか４個等）設けても良い。
【００２５】
またスライド係止片６が係合棒７に圧接するように該スライド係止片６を係合方向に常時付勢する付勢バネ９は、必ずしも枢軸１４に設ける必要はなく、例えば設計変更をし、スライド係止片６に設けても良い。この場合、スライド係止片６の下面に付勢バネ９の一例としてのコイネばねを収納する一端開口のバネ収納部を形成し、このバネ収納部にコイネばねの一端部側を収納し、その突出他端部を取付けガイド板５の垂直取付け部５ａに圧接するようにすれば良い。
【００２６】
【発明の効果】
以上の説明から明らかなように、本発明にあっては次に列挙するような効果がある。
（１）採風窓を室内側から押し開けるだけで、所定の開放位置に自動的に停止させることができる。すなわち、採風窓を所定の位置まで開放すると、スライド係合片のストッパー的係合部が付勢バネのバネ力により摺動係合部材を自動的に係止する。
（２）摺動係合部材に対する係止状態の解除が容易である。すなわち、操作者はスライド係合片を指で単に手前に引くだけで、摺動係合棒に対するスライド係合片のストッパー的係止状態が解消される。したがって、例えば１本の指（弱い力）でも、スライド係合片の係合を容易に解くことができる。
（３）各部材の組合わせが簡単である。
【図面の簡単な説明】
図１乃至図３は、発明の実施の形態を示す各説明図である。図４乃至図１０は、本発明の一実施例を示す各説明図である。
【図１】室内側から見た正面図。
【図２】図１に於いて、平面から見た概略断面説明図。
【図３】図２の３−３線の要部を拡大した概略断面説明図。
【図４】採風窓が閉じている場合の平面から見た概略説明図。
【図５】図４に於いて、室内側（正面）から見た概略説明図。
【図６】図４に於いて、左側面から見た概略説明図。
【図７】分解斜視図。
【図８】図７に於いて、各部材を組合わせた場合の斜視図。
【図９】採風窓を所定の角度迄開いた場合に於いて、平面から見た概略説明図（係止状態を示す）。
【図１０】採風窓を閉めようとし、指でスライド係合片を摺動係合部材から離した概略説明図。
【符号の説明】
１…採風窓、１ｂ…框、３…窓枠、４…開閉装置、５…取付けガイド板、６…スライド係合片、７…摺動係合部材、８…規制アーム、８ａ…一端部、８ｂ…他端部、９…付勢バネ、１１…固着具、１４…枢軸、１５…ストッパー的係合部、１６…操作部、１７…バネ受け部、１８…枢支軸、Ｘ…採風窓用ロック解除装置、２１…取付けボックス、２２…規制アーム用抜脱・差込み口。
【図１】
0004262794.tif 000002
【図２】
0004262794.tif 000003
【図３】
0004262794.tif 000004
【図４】
0004262794.tif 000005
【図５】
0004262794.tif 000006
【図６】
0004262794.tif 000007
【図７】
0004262794.tif 000008
【図８】
0004262794.tif 000009
【図９】
0004262794.tif 000010
【図１０】
0004262794.tif 000011